(57)【要約】【課題】二重床では防音性能の悪化や床鳴り、さらには吸脱湿による床部材の膨張収縮による不具合の発生があった。【解決手段】開口部下部横材とフローリング材を突き付ける場合において、開口部下部横材とフローリング材との間に１．５ｍｍ以上８ｍｍ以下となる隙間Ｗ１を設け、その隙間の上部をフローリング材に接合した隙間隠し部材で覆うことを特徴とする。また、開口部下部横材上に重なる隙間隠し部材の長さＷにおいて、１．５ｍｍ≦Ｗ≦１００ｍｍ、フローリング材と接合するための隙間隠し部材のフローリング材表面との固定部長さＨ１と隙間隠し部材のフローリング材端面との固定部長さＨ２とフローリング材の厚さＴにおいて、０．２≦（Ｈ１＋Ｈ２）／Ｔ≦２である特徴も有す。【選択図】　なし【特許請求の範囲】
【請求項１】
開口部下部横材とフローリング材を突き付ける場合において、開口部下部横材とフローリング材との間に１．５ｍｍ以上８ｍｍ以下となる隙間Ｗ１を設け、その隙間の上部をフローリング材に接合した隙間隠し部材で覆うことを特徴とする防音二重床。
【請求項２】
開口部下部横材上に重なる隙間隠し部材の長さＷにおいて、１．５ｍｍ≦Ｗ≦１００ｍｍであることを特徴とする請求項１に記載の防音二重床。
【請求項３】
フローリング材に接合するための隙間隠し部材のフローリング材表面との固定部長さＨ１と隙間隠し部材のフローリング材端面との固定部長さＨ２とフローリング材の厚さＴにおいて、０．２≦（Ｈ１＋Ｈ２）／Ｔ≦２であることを特徴とする請求項１に記載の防音二重床。
【発明の詳細な説明】
【０００１】
【発明の属する技術分野】
本発明は、集合住宅、戸建て住宅用の二重床、特に防音性の高い二重床に関する。
【０００２】
【従来の技術】
集合住宅では、階上の住人が発生する音にその階下の住人が悩まされるといった音起因の問題が多発する傾向にある。また、戸建ての住宅においても、例えば２階の物音が気になるなど、同様の問題が発生している。この問題を解決するため、住宅としての防音性が見直され、種々の工夫がなされている。
【０００３】
防音二重床もその一つであり、支持構造からの見直しもなされている。例えば、従来は敷居、掃き出し窓下端部材、上がり框などの開口部下部横材にフローリング材を突き付ける際は開口部下部横材とフローリング材との隙間を設けずに接触させていた。そのため、防音性能の低下や歩行による床の沈み込み時に床鳴りなどの問題が発生している。また、脱湿により床部材が収縮した場合は開口部下部横材とフローリング材の突き付け部に隙間が生じ、吸湿により床部材が膨張した場合は床面の波打ちなどの外観を損ねる問題が生じた。
【０００４】
これらの改善のために、開口部下部横材とフローリング材の突き付け部に隙間を設け、開口部下部横材と隙間隠し部材と一体化防音二重床が開示されている（例えば、特許文献１参照）。また、改良した根太部材を用いて根太と壁コンクリートスラブの間に隙間を設ける方法が開示されている（例えば、特許文献２参照）。さらには、根太と床材との間に緩衝材を設ける方法が開示されている（例えば、特許文献３参照）。
【０００５】
【特許文献１】
特開２００１−２９５４５０号公報
【０００６】
【特許文献２】
特開２０００−１９９３２８号公報
【０００７】
【特許文献３】
特開２００１−２４１１７９号公報
【０００８】
【発明が解決しようとする課題】
防音二重床を支持構造の面からも見直すことは可能である。しかし、防音性を改善しながら構造を変えていくことについては、建築物としての構造上から、下述する問題、
▲１▼フローリング材と開口部下部横材との接触面における床の沈み込みによる床鳴りの発生
▲２▼フローリング材と開口部下部横材との接触による振動伝搬
▲３▼脱湿による開口部下部横材とフローリング材の突き付け部における隙間の発生
▲４▼吸湿による床面の波打ち状態の発生
などがある。
【０００９】
特開２００１−２９５４５０号公報で開示されたものの場合、例えばフローリング材の損傷や汚れなどの不具合のために隙間隠し材を交換する必要が生じたとき、開口部下部横材も一緒に加工する必要性が生じ、交換の頻度やその加工の程度によっては開口部下部横材の交換も必要となる問題が発生している。また、特開２０００−１９９３２８号公報で開示された方法の場合、フローリング材と開口部下部横材が接触しているため、振動伝搬による防音性能の低下や吸湿による床面波打ちなどの基本的な問題は解決していない。さらには、特開２００１−２４１１７９号公報で開示された方法の場合、緩衝材の潰れによる床鳴り問題が発生している他、振動伝搬による防音性能の低下や吸湿による床面波打ちの問題も発生している。
【００１０】
【課題を解決するための手段】
上述の問題点を解決するために、鋭意検討した結果、本発明に至った。図１に示すように、床基盤に防振ゴム５を支持脚４で連結した根太３を支えとしたパーティクルボード２上のフローリング材１と、掃き出し窓下端部材等の開口部下部横材６とを突き付ける場合において、開口部下部横材６とフローリング材１と間に１．５ｍｍ以上８ｍｍ以下の隙間Ｗ１を設け、その隙間の上部をフローリング材に接合した隙間隠し部材７で覆った防音二重床を用いる。また、開口部下部横材に重なる隙間隠し部材の幅Ｗにおいて１．５ｍｍ≦Ｗ≦１００ｍｍであること、さらにはフローリング材１と接合するための隙間隠し部材７のフローリング材１表面との固定部長さＨ１と隙間隠し部材７のフローリング材１端面との固定部長さＨ２とフローリング材の厚さＴにおいて、０．２≦（Ｈ１＋Ｈ２）／Ｔ≦２であることも有用である。
【００１１】
【発明の実施の形態】
開口部下部横材とフローリング材を突き付ける場合において、開口部下部横材とフローリング材との間に１．５ｍｍ以上８ｍｍ以下となる隙間Ｗ１を設け、その隙間の上部をフローリング材に接合した隙間隠し部材で覆う。フローリング材端面の上部に、フローリング材と一体化した隙間隠し部材を用いることで、開口部下部横材とフローリング材との隙間を設けることができる。開口部下部横材とフローリング材を接触させないことで防音性能を向上させ、床鳴りの発生をなくすことができる。従来工法のように、開口部下部横材とフローリング材の間に隙間がないと、開口部下部横材とフローリング材との間で音の伝達がある。さらに、フローリング材の損傷や汚れなどにより、フローリング材を交換させる場合でも、開口部下部横材を加工する必要がないので、その交換も容易となる。
【００１２】
開口部下部横材とフローリング材との隙間Ｗ１が１．５ｍｍ以上８ｍｍ以下であることは重要である。開口部下部横材とフローリング材との隙間Ｗ１が１．５ｍｍよりも小さいと、フローリング材が吸湿により膨張したときに開口部下部横材と接触する問題が発生する。また、開口部下部横材とフローリング材との隙間Ｗ１が８ｍｍよりも大きいと、例えば脱湿で床部材が収縮したときに負荷がかかった場合、隙間隠し部材にかかる単位面積当たりの負荷が増大し、強度不足など安全上の問題が発生する。また、一般的に隙間隠し部材が大きくなると、外観性は下がる。好ましくは、隙間Ｗ１は２ｍｍ以上６ｍｍ以下である。このように、吸湿により床部材が膨張する場合は隙間部分が膨張しろとなり、開口部下部横材とフローリング材との接触を防止することができる。脱湿により床部材が収縮した場合でも、この隙間隠し部材により床面での隙間は発生しないので、安全で外観も良好となる。
【００１３】
開口部下部横材に重なる隙間隠し部材の幅Ｗにおいて、１．５ｍｍ≦Ｗ≦１００ｍｍであることも有用である。Ｗが１．５ｍｍよりも小さいと、脱湿によりフローリング材が収縮した場合、隙間を充分に隠せない問題が発生する。また、Ｗが１００ｍｍよりも大きいと、隙間隠し部材が外観上目立ちすぎるという問題が発生する。好ましくは、Ｗは２ｍｍ以上８０ｍｍ以下である。
【００１４】
フローリング材と接合するための隙間隠し部材のフローリング材表面との固定部長さＨ１と隙間隠し部材のフローリング材端面との固定部長さＨ２とフローリング材の厚さＴにおいて、０．２≦（Ｈ１＋Ｈ２）／Ｔ≦２であることも重要である。（Ｈ１＋Ｈ２）／Ｔが０．２よりも小さいと、接合が弱くなり、隙間隠し部材が動いたり、剥離したりする問題が発生する。（Ｈ１＋Ｈ２）／Ｔが２よりも大きいと、開口部下部横材からの音の伝達が増大し、結果として防音性が低下する。
【００１５】
なお、隙間隠し部材の材質としては、オレフィン系樹脂材料、スチレンに代表される芳香族樹脂材料、塩化ビニル系樹脂材料、ゴム系材料およびこれらの混合物が良いが、必ずしもこれらに限定されるものではない。
【００１６】
【実施例】
以下、実施例に基づき、述べる。
【００１７】
（実施例１）
図２に示すように、床基盤に防振ゴム５を支持脚４で連結した台座９、及び根太６を支えとしてパーティクルボード２を施工した。厚さ１２ｍｍのフローリング材１をパーティクルボード２に固定する際、フローリング材１と開口部下部横材（敷居）６との間に４ｍｍの隙間を設け、その隙間が隠れるように長さ１４ｍｍの隙間隠し部材７を接着剤８で、フローリング材１と接合した。
【００１８】
得られた二重床についてＪＩＳ　Ａ　１４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。また、エアコンと除湿機を用いて冬期に見られるような湿度が低い状態にしたところ、床部材が新たに約１．５ｍｍ収縮したが、隙間隠し部材７が新たに生じた隙間を覆っているので隙間は見えず、外観も良好であった。なお、このときのＷは３ｍｍ、（Ｈ１＋Ｈ２）／Ｔは０．７であった。
【００１９】
（実施例２）
実施例１と同様に施工したパーティクルボードに厚さ１２ｍｍのフローリング材を固定した。その際、フローリング材と開口部下部横材（敷居）との間に３ｍｍの隙間を設けた。また、長さ１０ｍｍの隙間隠し部材を接着剤でフローリング材に接合した。
【００２０】
得られた二重床についてＪＩＳ　Ａ　１４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。また、加湿器を用いて夏期に見られるような湿度が高い状態にしたところ、床部材が膨張したが、フローリング材１と開口部下部横材（敷居）６は接触せず、床鳴りの発生や防音性の低下は認められなかった。なお、このときのＷは５ｍｍ、（Ｈ１＋Ｈ２）／Ｔは１．２であった。
【００２１】
（実施例３）
図３に示すように、床基盤に防振ゴム５を支持脚４で連結した台座９、及び根太３を支えとしてパーティクルボード２を施工した。厚さ１２ｍｍのフローリング材１をパーティクルボード２に固定した。その際、フローリング材１と開口部下部横材（敷居）６との間に２．５ｍｍの隙間を設け、その隙間が隠れるように長さ４．５ｍｍの隙間隠し部材をフローリング材１端部側面にタッカー１０を用いて接合した。
【００２２】
得られた二重床についてＪＩＳ　Ａ　１４１８−１に基づいて床衝撃音遮断性能試験（軽量衝撃音の遮断性能）を実施したところ、２５０Ｈｚにおいてスラブ素面値よりも１６ｄＢの改善がみられ、且つ、床鳴りなどの異音も発生しなかった。また、エアコンと除湿機を用いて冬期に見られるような湿度が低い状態にしたところ、床部材が収縮し、敷居９とフローリング材１との間に新たに約１．５ｍｍの隙間が生じたが、隙間隠し部材７が新たに生じた隙間を覆っているので、隙間は見えずに外観も良好であった。なお、このときのＷは２ｍｍ、（Ｈ１＋Ｈ２）／Ｔは０．８であった。
【００２３】
（比較例１）
図４に示すように、床基盤に防振ゴム５を支持脚４で連結した台座９、及び根太３を支えとしてパーティクルボード２を施工した。厚さ１２ｍｍのフローリング材１をパーティクルボード２に固定した。その際、フローリング材１と開口部下部横材（敷居）６との間は接触させ隙間は設けなかった。従って、隙間隠し部材７は使わなかった。
【００２４】
得られた二重床についてＪＩＳ　Ａ　１４１８−１に基づいて床衝撃音遮断性能試験（軽量衝撃音の遮断性能）を実施したところ、２５０Ｈｚにおいてスラブ素面値よりも１３ｄＢの改善がみられたが、実施例１より３ｄＢ防音性能が悪化した。また、歩行により床が沈み込み、床鳴りが発生した。また、エアコンと除湿機を用いて冬期に見られるような湿度を低い状態にしたところ、床部材が収縮し、敷居９とフローリング材１との間に約１．５ｍｍの隙間が生じ外観上問題となった。
【００２５】
（比較例２）
実施例２と同様に施工したパーティクルボードに厚さ１２ｍｍのフローリング材を固定した。その際、フローリング材と敷居との間に０．５ｍｍの隙間を設けた。また、その隙間が隠れるように長さ１３０ｍｍの隙間隠し部材をフローリング材端部側面にタッカーを用いて接合した。
【００２６】
得られた二重床についてＪＩＳ　Ａ　１４１８−１に基づいて床衝撃音遮断性能試験（軽量衝撃音の遮断性能）を実施したところ、２５０Ｈｚにおいてスラブ素面値よりも１５ｄＢの改善がみられ、床鳴りなどの異音も発生しなかった。しかし、加湿器を用いて夏期に見られるような湿度が高い状態にしたところ、床部材が膨張し、フローリング材端部に取り付けた隙間隠し部材が敷居と接触した。床衝撃音遮断性能試験（軽量衝撃音の遮断性能）を実施したが、２５０Ｈｚにおける裸スラブからの改善値が１２ｄＢとなり、３ｄＢ防音性能が悪化した。また、歩行により床が沈み込み、床鳴りも発生した。なお、このときのＷは１１０ｍｍ、（Ｈ１＋Ｈ２）／Ｔは２．５であった。
【００２７】
（比較例３）
実施例３と同様に施工したパーティクルボード２に厚さ１２ｍｍのフローリング材を固定した。その際、フローリング材と敷居との間に２．５ｍｍの隙間を設けた。また、その隙間が隠れるように長さ５ｍｍの隙間隠し部材７をフローリング材端部表面に接着剤を用いて接合した。
【００２８】
得られた二重床についてＪＩＳ　Ａ　１４１８−１に基づいて床衝撃音遮断性能試験（軽量衝撃音の遮断性能）を実施したところ、２５０Ｈｚにおいてスラブ素面値よりも１６ｄＢの改善がみられ、床鳴りなどの異音も発生しなかった。しかし、エアコンと除湿機を用いて冬期に見られるような湿度が低い状態にしたところ、床部材が収縮し、敷居とフローリング材との間に新たに約１．５ｍｍの隙間が生じ、今回用いた隙間隠し部材では隙間を隠しきれずに外観上問題となった。なお、このときのＷは１ｍｍ、（Ｈ１＋Ｈ２）／Ｔは０．１であった。
【００２９】
【発明の効果】
本発明の防音二重床によれば、防音性能を長期的に堅持するとともに、床部材の膨張収縮による床鳴りや床面波打ちの問題発生を防止することもできる。
【図面の簡単な説明】
【図１】本発明の隙間隠し材と防音二重床構造を示す概念図である。
【図２】実施例１の防音二重床の側面図である。
【図３】実施例３の防音二重床の側面図である。
【図４】比較例１の従来工法の側面図である。
【符号の説明】
１　　フローリング材
２　　パーティクルボード
３　　根太
４　　支持脚
５　　防振ゴム
６　　開口部下部横材
７　　隙間隠し部材
８　　接着剤
９　　台座
１０　　タッカー
Ｗ　　開口部下部横材上に重なる隙間隠し部材の長さ
Ｗ１　　フローリング材と開口部下部横材との隙間
Ｈ１　　隙間隠し部材のフローリング材表面との固定部長さ
Ｈ２　　隙間隠し部材のフローリング材端面との固定部長さ
Ｔ　　フローリング材の厚さ
【図１】
2004137838.tif 000002
【図２】
2004137838.tif 000003
【図３】
2004137838.tif 000004
【図４】
2004137838.tif 000005